(57)【要約】【課題】複数の携帯電話機が通信可能に接続される状況で複数の携帯電話機から音声認識機能を用いて発信させることができるようにする。【解決手段】車載機１は、複数の携帯電話機１１ａ〜１１ｎの電話番号と発話者の声の特徴を示す声情報とが対応付けられている音声登録データを記憶し、電話帳データの転送元の携帯電話機１１ａ〜１１ｎの電話番号に対応する声情報を記憶していると、当該携帯電話機１１ａ〜１１ｎから取得した電話帳データを電話番号と対応付けて音声認識用の電話帳データを作成する。車載機１は、発話者が発話した声の読みが音声認識用の電話帳データに複数存在すると、発話者が発話した声の特徴を特定し、音声登録データを参照して声の特徴に対応する電話番号の携帯電話機１１ａ〜１１ｎを発信電話機として特定する。【選択図】図１
2017034386.tif 000002
【特許請求の範囲】
【請求項１】
少なくとも読みと電話番号とが対応付けられている電話帳データを転送可能な複数の携帯電話機（１１ａ〜１１ｎ）と通信可能に接続する接続部（３）と、
複数の携帯電話機の識別情報と発話者の声の特徴を示す声情報とが対応付けられている音声登録データを記憶する記憶部（６）と、
前記接続部が接続可能な複数の携帯電話機から電話帳データを取得する電話帳データ取得部（２ａ）と、
電話帳データの転送元の携帯電話機の識別情報に対応する声情報が前記記憶部に記憶されている場合に、当該携帯電話機から前記電話帳データ取得部により取得された電話帳データを当該識別情報と対応付けて音声認識用の電話帳データを作成する電話帳データ作成部（２ｂ）と、
発話者が発話した声の読みを特定する読み特定部（２ｃ）と、
発話者が発話した声の特徴を特定する特徴特定部（２ｄ）と、
前記読み特定部により特定された読みが前記電話帳データ作成部により作成された音声認識用の電話帳データに複数存在する場合に、前記記憶部に記憶されている音声登録データを参照して前記特徴特定部により特定された声の特徴に対応する識別情報を特定する識別情報特定部（２ｅ）と、
前記識別情報特定部により特定された識別情報に対応する携帯電話機を発信電話機として特定する発信電話機特定部（２ｆ）と、
前記発信電話機特定部により特定された発信電話機の電話帳データに当該読みに対応付けられている電話番号を発信先電話番号として当該発信電話機から発信させる発信制御部（２ｇ）と、を備えたことを特徴とする車載機（１）。
【請求項２】
請求項１に記載した車載機において、
前記記憶部は、複数の携帯電話機の識別情報として電話番号を用い、電話番号と声情報とが対応付けられている音声登録データを記憶することを特徴とする車載機。
【請求項３】
請求項１又は２に記載した車載機において、
前記発信電話機特定部の特定結果を報知する報知制御部（２ｇ）を備えたことを特徴とする車載機。
【請求項４】
少なくとも読みと電話番号とが対応付けられている電話帳データを転送可能な複数の携帯電話機（１１ａ〜１１ｎ）と通信可能に接続する接続部（３）と、複数の携帯電話機の識別情報と発話者の声の特徴を示す声情報とが対応付けられている音声登録データを記憶する記憶部（６）と、を有する車載機（１）の制御部（２）に、
前記接続部が接続可能な複数の携帯電話機から電話帳データを取得する電話帳データ取得手順と、
電話帳データの転送元の携帯電話機の識別情報に対応する声情報が前記記憶部に記憶されている場合に、当該携帯電話機から前記電話帳データ取得手順により取得した電話帳データを当該識別情報と対応付けて音声認識用の電話帳データを作成する電話帳データ作成手順と、
発話者が発話した声の読みを特定する読み特定手順と、
発話者が発話した声の特徴を特定する特徴特定手順と、
前記読み特定手順により特定した読みが前記電話帳データ作成手順により作成した音声認識用の電話帳データに複数存在する場合に、前記記憶部に記憶されている音声登録データを参照して前記特徴特定手順により特定した声の特徴に対応する識別情報を特定する識別情報特定手順と、
前記識別情報特定手順により特定した識別情報に対応する携帯電話機を発信電話機として特定する発信電話機特定手順と、
前記発信電話機特定手順により特定した発信電話機の電話帳データに当該読みに対応付けられている電話番号を発信先電話番号として当該発信電話機から発信させる発信制御手順と、を実行させることを特徴とするコンピュータプログラム。
【発明の詳細な説明】
【技術分野】
【０００１】
本発明は、車載機及びコンピュータプログラムに関する。
【背景技術】
【０００２】
車載機と通信可能に接続される携帯電話機から音声認識機能を用いて発信させる場合、従来は予め指定された一の携帯電話機から発信させることが可能であった。即ち、車載機は、予め指定された一の携帯電話機が通信可能に接続され、その携帯電話機から電話帳データを取得すると、音声認識用の電話帳データを作成する。車載機は、音声認識用の電話帳データを作成した状態でユーザが発話すると、音声認識用の電話帳データを検索し、そのユーザが発話した声の読みが音声認識用の電話帳データに存在するか否かを判定する。そして、車載機は、ユーザが発話した声の読みが音声認識用の電話帳データに存在すると、その読みに対応付けられている電話番号を発信先電話番号として携帯電話機から発信させる。
【０００３】
ところで、例えば複数のユーザがそれぞれ携帯電話機を所持して同じ車両に乗り込む状況がある。その場合、それら複数の携帯電話機が車載機に登録されていると、複数の携帯電話機が車載機と通信可能に接続される。しかしながら、上記したように予め指定された一の携帯電話機からしか音声認識機能を用いて発信させることができない構成では、指定されていない他の携帯電話機からは音声認識機能を用いて発信させることができない。このような事情から、複数の携帯電話機が車載機と通信可能に接続される状況で複数の携帯電話機から音声認識機能を用いて発信させたいという要望がある。一方、発話者を特定する技術として特許文献１及び２に開示されている技術がある。
【先行技術文献】
【特許文献】
【０００４】
【特許文献１】特開２００３−１７７７８２号公報
【特許文献２】特開２０１１−１４１３４９号公報
【発明の概要】
【発明が解決しようとする課題】
【０００５】
しかしながら、特許文献１及び２に開示されている技術では、上記した複数の携帯電話機が車載機と通信可能に接続される状況で複数の携帯電話機から音声認識機能を用いて発信させたいという要望に応えることはできない。
【０００６】
本発明は、上記した事情に鑑みてなされたものであり、その目的は、複数の携帯電話機が通信可能に接続される状況で複数の携帯電話機から音声認識機能を用いて発信させることができ、利便性を高めることができる車載機及びコンピュータプログラムを提供することにある。
【課題を解決するための手段】
【０００７】
請求項１に記載した発明によれば、接続部は、少なくとも読みと電話番号とが対応付けられている電話帳データを転送可能な複数の携帯電話機と通信可能に接続する。記憶部は、複数の携帯電話機の識別情報と発話者の声の特徴を示す声情報とが対応付けられている音声登録データを記憶する。電話帳データ取得部は、接続部が接続可能な複数の携帯電話機から電話帳データを取得する。電話帳データ作成部は、電話帳データの転送元の携帯電話機の識別情報に対応する声情報が記憶部に記憶されていると、当該携帯電話機から電話帳データ取得部により取得された電話帳データを当該識別情報と対応付けて音声認識用の電話帳データを作成する。
【０００８】
読み特定部は、発話者が発話した声の読みを特定する。特徴特定部は、発話者が発話した声の特徴を特定する。識別情報特定部は、読み特定部により特定された読みが電話帳データ作成部により作成された音声認識用の電話帳データに複数存在すると、記憶部に記憶されている音声登録データを参照して特徴特定部により特定された声の特徴に対応する識別情報を特定する。発信電話機特定部は、識別情報特定部により取得された識別情報に対応する携帯電話機を発信電話機として特定する。発信制御部は、発信電話機特定部により特定された発信電話機の電話帳データに当該読みに対応付けられている電話番号を発信先電話番号として当該発信電話機から発信させる。
【０００９】
複数の携帯電話機と通信可能に接続され、複数の携帯電話機から電話帳データを取得する場合には、互いに異なる携帯電話機から同じ読みの電話帳データを取得する可能性がある。その場合、何れかの携帯電話機から音声認識機能を用いて発信させようとする場合にユーザが発話した読みが重複すると、発信電話機を特定することができず、適切な携帯電話機から発信させることができない虞がある。この点に関し、複数の携帯電話機の識別情報と声情報とが対応付けられている音声登録データを記憶し、電話帳データの転送元の携帯電話機の識別情報に対応する声情報を記憶していると、当該携帯電話機から取得した電話帳データを当該識別情報と対応付けて音声認識用の電話帳データを作成するようにした。そして、ユーザが発話した声の読みが音声認識用の電話帳データに複数存在すると、音声登録データを参照して声の特徴に対応する識別情報を特定し、その特定した識別情報に対応する携帯電話機を発信電話機として特定するようにした。これにより、複数の携帯電話機の識別情報と声情報との対応を音声登録データとして記憶しておくことで、複数の携帯電話機が通信可能に接続される状況で複数の携帯電話機から音声認識機能を用いて発信させることができ、利便性を高めることができる。
【図面の簡単な説明】
【００１０】
【図１】本発明の一実施形態を示す機能ブロック図
【図２】電話帳データを示す図
【図３】音声登録データを示す図
【図４】音声認識用の電話帳データを示す図
【図５】接続判定処理を示すフローチャート
【図６】音声認識発信判定処理を示すフローチャート
【図７】発信問合画面を示す図
【発明を実施するための形態】
【００１１】
以下、本発明の一実施形態について図面を参照して説明する。
車両に搭載されている車載機１は、制御部２と、接続部３と、表示部４と、操作受付部５と、記憶部６と、音声入力部７と、音声出力部８と、音声認識部９とを有する。制御部２は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。制御部２は、非遷移的実体的記録媒体に格納されているコンピュータプログラムを実行することで、コンピュータプログラムに対応する処理を実行し、車載機１の動作全般を制御する。
【００１２】
接続部３は、それぞれがＢｌｕｅｔｏｏｔｈ（登録商標）（以下、ＢＴと称する）接続機能を有する複数のＢＴチップ３ａ〜３ｎを有する。接続部３は、車載機１が電源オンすると、予め登録されているＢＴアドレスが付与されているＢＴデバイスを探索し、ＢＴデバイスの探索に成功すると、ＢＴチップ３ａ〜３ｎと当該探索に成功したＢＴデバイスとを１対１の関係でＢＴ通信可能に接続する。ＢＴ接続機能を有する携帯電話機１１ａ〜１１ｎが車室内に持込まれ、その携帯電話機１１ａ〜１１ｎに付与されているＢＴアドレスが接続部３に予め登録されていれば、接続部３は、ＢＴチップ３ａ〜３ｎと携帯電話機１１ａ〜１１ｎとを１対１の関係でＢＴ通信可能に接続する。携帯電話機１１ａ〜１１ｎは、それぞれ登録名と読みと電話番号とが１件のデータとして対応付けられた複数件（例えば数１００件）分の電話帳データを記憶している。
【００１３】
接続部３は、携帯電話機１１ａ〜１１ｎの探索に成功し、ＢＴチップ３ａ〜３ｎと携帯電話機１１ａ〜１１ｎとの間でペアリングを正常に完了してＢＴ回線を接続すると、ＢＴの通信規格で定義されているＰＢＡＰ（Phone Book Access Profile）やＨＦＰ（Hands Free Profile）を接続する。ＰＢＡＰは近距離無線接続の電話帳データ転送を規定するプロトコルある。接続部３と携帯電話機１１ａ〜１１ｎとが両者の間でＰＢＡＰを接続することで、携帯電話機１１ａ〜１１ｎが電話帳データを接続部３に転送可能となり、接続部３が携帯電話機１１ａ〜１１ｎから電話帳データを取得可能となる。ＨＦＰは近距離無線接続のハンズフリー通話を規定するプロトコルである。接続部３と携帯電話機１１ａ〜１１ｎとが両者の間でＨＦＰを接続することで、両者が音声データを転送可能なる。尚、ＢＴチップ３ａ〜３ｎと携帯電話機１１ａ〜１１ｎとは、両者の間で複数のプロファイルの同時接続が不可能な（シングルプロファイルの）仕様であればＰＢＡＰやＨＦＰを所定の順序にしたがって順次接続し、両者の間で複数のプロファイルの同時接続が可能な（マルチプロファイルの）仕様であれば、ＰＢＡＰやＨＦＰを同時接続する。
【００１４】
表示部４は、例えば液晶パネルや有機ＥＬ（Electro-Luminescence）パネル等を含んで構成されており、制御部２から表示指令信号を入力すると、その入力した表示指令信号により特定される画面を表示する（描画する）。操作受付部５は、表示部４の表示領域の周辺に配置されている機械的なスイッチや画面上に形成されるタッチパネル等を含んで構成されており、ユーザが機械的なスイッチやタッチパネルを操作すると、その操作内容を示す操作検知信号を制御部２に出力する。
【００１５】
記憶部６は、詳しくは後述するように制御部２が作成した音声認識用の電話帳データ及び通常の電話帳データを記憶する。又、記憶部６は、携帯電話機１１ａ〜１１ｎの電話番号（識別情報）と発話者の声の特徴を示す声情報とが対応付けられている音声登録データを記憶する。声の特徴とは、例えば声の高低や速さ等であり、発話者を特定可能な特徴である。音声入力部７は、車室内の所定箇所に配置されているマイクロホンを含んで構成されている。ユーザから発話された音声が音声入力部７に入力されると、その入力された音声は音声データとして接続部３から携帯電話機１１ａ〜１１ｎに転送され、送話音声として携帯電話機１１ａ〜１１ｎから通話相手に送信される。音声出力部８は、車室内の所定箇所に配置されているスピーカを含んで構成されている。通話相手から送信された音声が携帯電話機１１ａ〜１１ｎに受信されると、その受信された音声は音声データとして携帯電話機１１ａ〜１１ｎから接続部３に転送され、受話音声として音声出力部８から出力される。音声認識部９は、ユーザから発話された音声が音声入力部７に入力されることで、その入力された音声を所定の音声認識アルゴリズムにしたがって音声認識して読み及び特徴を抽出し、その抽出結果を制御部２に出力する。
【００１６】
制御部２は、電話帳データ取得部２ａと、電話帳データ作成部２ｂと、読み特定部２ｃと、特徴特定部２ｄと、識別情報特定部２ｅと、発信電話機特定部２ｆと、発信制御部２ｇと、報知制御部２ｈとを有する。これら各部２ａ〜２ｈはソフトウェアにより実現されている。尚、各部２ａ〜２ｈがハードウェアにより実現される構成でも良い。
【００１７】
電話帳データ取得部２ａは、接続部３が接続可能な複数の携帯電話機１１ａ〜１１ｎから電話帳データを取得する。電話帳データ作成部２ｂは、電話帳データの転送元の携帯電話機１１ａ〜１１ｎの電話番号に対応する声情報が音声登録データとして記憶部６に記憶されていれば、その携帯電話機１１ａ〜１１ｎから転送された電話帳データを音声認識用の電話帳データとして作成する。一方、電話帳データ作成部２ｂは、電話帳データの転送元の携帯電話機１１ａ〜１１ｎの電話番号に対応する声情報が音声登録データとして記憶部６に記憶されていなければ、その携帯電話機１１ａ〜１１ｎから転送された電話帳データを通常の電話帳データとして作成する。
【００１８】
具体的に説明すると、ユーザＡ〜Ｅの５人がそれぞれ携帯電話機１１ａ〜１１ｅを所持して同じ車両に乗り込んだ場合を想定する。ここでは、図２に示すように、それぞれの携帯電話機１１ａ〜１１ｅには、所定の電話番号が付与されていると共に電話帳データが記憶されている場合を想定する。又、図３に示すように、それぞれの携帯電話機１１ａ〜１１ｅの電話番号と発話者の声の特徴を示す声情報との対応が音声登録データとして記憶されている場合を想定する。尚、声情報が記憶されるタイミングはどのようなタイミングであっても良い。例えば携帯電話機１１ａ〜１１ｅが接続されたときに、ユーザＡ〜Ｅに所定の単語や文章等を順次発話させることで、携帯電話機１１ａ〜１１ｅの電話番号に対応付けられて声情報が記憶されても良い。
【００１９】
電話帳データ作成部２ｂは、ユーザＡ〜Ｃがそれぞれ所持する携帯電話機１１ａ〜１１ｃについては、それぞれの電話番号と声情報との対応が音声登録データとして記憶されているので、図４に示すように、それぞれの携帯電話機１１ａ〜１１ｃから転送された電話帳データを音声認識用の電話帳データとして作成する。このとき、電話帳データ作成部２ｂは、電話帳データの転送元の電話番号を接続先電話番号として電話帳データと対応付ける。一方、電話帳データ作成部２ｂは、ユーザＤ，Ｅがそれぞれ所持する携帯電話機１１ｄ，１１ｅについては、それぞれの電話番号と声情報との対応が音声登録データとして記憶されていないので、それぞれの携帯電話機１１ｄ，１１ｅから転送された電話帳データを通常の電話帳データとして作成する。
【００２０】
読み特定部２ｃは、ユーザが発話した声が音声認識部９により音声認識されることで、その声の読みを特定する。特徴特定部２ｄは、ユーザが発話した声が音声認識部９により音声認識されることで、その声の特徴を特定する。識別情報特定部２ｅは、ユーザが発話した声の読みが特定されると、音声認識用の電話帳データを検索し、その特定された読みが音声認識用の電話帳データに存在するか否かを判定する。そして、識別情報特定部２ｅは、ユーザが発話した声の読みが音声認識用の電話帳データに存在すると、音声登録データを参照し、その特定された声の特徴に対応する電話番号を特定する。
【００２１】
発信電話機特定部２ｆは、電話番号が特定されると、その電話番号に対応する携帯電話機１１ａ〜１１ｃを発信電話機として特定する。発信制御部２ｇは、発信電話機として特定された携帯電話機１１ａ〜１１ｃの電話帳データに読みに対応付けられている電話番号を発信先電話番号として当該発信電話機から発信させる。又、報知制御部２ｇは、発信電話機の特定結果を報知する。
【００２２】
次に、上記した構成の作用について、図５から図７を参照して説明する。制御部２は、本発明に関連し、図５に示す接続判定処理、図６に示す音声認識発信判定処理を行う。以下、それぞれの処理について説明する。
【００２３】
（１）接続判定処理
制御部２は、接続判定処理を開始すると、接続部３が携帯電話機１１ａ〜１１ｎとＢＴ通信可能に接続したか否かを判定する（Ｓ１）。制御部２は、接続部３が携帯電話機１１ａ〜１１ｎとＢＴ通信可能に接続したと判定すると（Ｓ１：ＹＥＳ）、接続部３が携帯電話機１１ａ〜１１ｎとＰＢＡＰを接続することで、そのＢＴ通信可能に接続している携帯電話機１１ａ〜１１ｎから電話帳データを取得する（Ｓ２、電話帳データ取得手順）。制御部２は、音声登録データを参照し（Ｓ３）、その電話帳データの転送元の携帯電話機１１ａ〜１１ｎの電話番号に対応する声情報を記憶しているか否か、即ち、音声登録データに声情報が登録されているか否かを判定する（Ｓ４）。
【００２４】
制御部２は、電話帳データの転送元の携帯電話機１１ａ〜１１ｎの電話番号に対応する声情報を記憶しており、音声登録データに声情報が登録されていると判定すると（Ｓ４：ＹＥＳ）、音声認識用の電話帳データを既に作成しているか否かを判定する（Ｓ５）。制御部２は、音声認識用の電話帳データを未だ作成していないと判定すると（Ｓ５：ＮＯ）、携帯電話機１１ａ〜１１ｎから取得した電話帳データを音声認識用の電話帳データの記憶領域に書き込み、音声認識用の電話帳データを作成し（Ｓ６、電話帳データ作成手順）、上記したステップＳ１に戻り、ステップＳ１以降を繰り返して行う。一方、制御部２は、音声認識用の電話帳データを既に作成していると判定すると（Ｓ５：ＹＥＳ）、携帯電話機１１ａ〜１１ｎから取得した電話帳データを当該既に作成している音声認識用の電話帳データの記憶領域に書き込み、携帯電話機１１ａ〜１１ｎから取得した電話帳データを音声認識用の電話帳データにマージし（Ｓ７、電話帳データ作成手順）、上記したステップＳ１に戻り、ステップＳ１以降を繰り返して行う。
【００２５】
又、制御部２は、電話帳データの転送元の携帯電話機１１ａ〜１１ｎの電話番号に対応する声情報を記憶していなく、音声登録データに声情報が登録されていないと判定すると（Ｓ４：ＮＯ）、通常の電話帳データを既に作成しているか否かを判定する（Ｓ８）。制御部２は、通常の電話帳データを未だ作成していないと判定すると（Ｓ８：ＮＯ）、携帯電話機１１ａ〜１１ｎから取得した電話帳データを通常の電話帳データの記憶領域に書き込み、通常の電話帳データを作成し（Ｓ９）、上記したステップＳ１に戻り、ステップＳ１以降を繰り返して行う。一方、制御部２は、通常の電話帳データを既に作成していると判定すると（Ｓ８：ＹＥＳ）、携帯電話機１１ａ〜１１ｎから取得した電話帳データを当該既に作成している通常の電話帳データの記憶領域に書き込み、携帯電話機１１ａ〜１１ｎから取得した電話帳データを通常の電話帳データにマージし、上記したステップＳ１に戻り、ステップＳ１以降を繰り返して行う。
【００２６】
具体的に以下に説明する。ここでは、ユーザＡの携帯電話機１１ａ、ユーザＢの携帯電話機１１ｂ、ユーザＣの携帯電話機１１ｃ、ユーザＤの携帯電話機１１ｄ、ユーザＥの携帯電話機１１ｅの接続順序で車載機１とＢＴ通信可能に接続される場合を説明する。最初にユーザＡの携帯電話機１１ａが車載機１とＢＴ通信可能に接続されると、制御部２は、ユーザＡの携帯電話機１１ａの電話番号に対応する声情報を記憶しており、音声認識用の電話帳データを未だ作成していないので、ユーザＡの携帯電話機１１ａから取得した電話帳データをユーザＡの携帯電話機１１ａの電話番号と対応付けて音声認識用の電話帳データの記憶領域に書き込み、音声認識用の電話帳データを作成する。次に、ユーザＢの携帯電話機１１ｂが車載機１とＢＴ通信可能に接続されると、制御部２は、ユーザＢの携帯電話機１１ｂの電話番号に対応する声情報を記憶しており、音声認識用の電話帳データを既に作成しているので、ユーザＢの携帯電話機１１ｂから取得した電話帳データを音声認識用の電話帳データにマージする。同様に、ユーザＣの携帯電話機１１ｃが車載機１とＢＴ通信可能に接続されると、制御部２は、ユーザＣの携帯電話機１１ｃの電話番号に対応する声情報を記憶しており、音声認識用の電話帳データを既に作成しているので、ユーザＣの携帯電話機１１ｃから取得した電話帳データを音声認識用の電話帳データにマージする。
【００２７】
次にユーザＤの携帯電話機１１ｄが車載機１とＢＴ通信可能に接続されると、制御部２は、ユーザＤの携帯電話機１１ｄの電話番号に対応する声情報を記憶しておらず、通常の電話帳データを未だ作成していないので、ユーザＤの携帯電話機１１ｄから取得した電話帳データをユーザＤの携帯電話機１１ｄの電話番号と対応付けて通常の電話帳データの記憶領域に書き込み、通常の電話帳データを作成する。次に、ユーザＥの携帯電話機１１ｅが車載機１とＢＴ通信可能に接続されると、制御部２は、ユーザＥの携帯電話機１１ｅの電話番号に対応する声情報を記憶しておらず、通常の電話帳データを既に作成しているので、ユーザＥの携帯電話機１１ｅから取得した電話帳データを通常の電話帳データにマージする。
【００２８】
制御部２は、このようにして音声登録データに声情報が登録されているか否かを判定することで、電話帳データの転送元の携帯電話機１１ａ〜１１ｅの電話番号に対応する声情報が登録されていれば、その転送された電話帳データを音声認識用の電話帳データとして作成し、一方、電話帳データの転送元の携帯電話機１１ａ〜１１ｅの電話番号に対応する声情報が登録されていなければ、その転送された電話帳データを通常の電話帳データとして作成する。尚、携帯電話機１１ａ〜１１ｅがどのような接続順序で車載機１とＢＴ通信可能に接続されても同様である。
【００２９】
（２）音声認識発信判定処理
制御部２は、音声認識発信判定処理を開始すると、ユーザが発話したか否かを判定する（Ｓ１１）。制御部２は、ユーザが発話したと判定すると（Ｓ１１：ＹＥＳ）、ユーザが発話した声の読みを特定する（Ｓ１２、読み特定手順）。制御部２は、音声認識用の電話帳データを検索し（Ｓ１３）、その特定した読みが音声認識用の電話帳データに複数存在するか否かを判定する（Ｓ１４）。制御部２は、その特定した読みが音声認識用の電話帳データに複数存在しないと判定すると（Ｓ１４：ＮＯ）、その特定した読みに対応する携帯電話機１１ａ〜１１ｎを発信電話機として特定する（Ｓ１５）。そして、制御部２は、その特定した読みに対応付けられている電話番号を発信先電話番号として携帯電話機１１ａ〜１１ｎから発信させる（Ｓ１６）。
【００３０】
具体的に以下に説明する。制御部２は、図４に示した音声認識用の電話帳データを作成している状態で、ユーザが例えば「アオキ」と発話すると、ユーザが発話した声の読みを「アオキ」と特定する。そして、制御部２は、その特定した声の読みである「アオキ」が音声認識用の電話帳データに一つしか存在しないと判定すると、ユーザＡの携帯電話機１１ａを発信電話機として特定し、「０９０−××××−××１１」（×は０〜９の任意の数字）の電話番号を発信先電話番号として携帯電話機１１ａから発信させる。尚、ユーザが他の読みを発話した場合も同様であり、ユーザが例えば「カガワ」と発話した場合も同様である。制御部２は、ユーザが発話した声の読みを例えば「カガワ」と特定し、その特定した声の読みである「カガワ」が音声認識用の電話帳データに一つしか存在しないと判定すると、ユーザＣの携帯電話機１１ｃを発信電話機として特定し、「０９０−××××−××３１」の電話番号を発信先電話番号として携帯電話機１１ｃから発信させる。
【００３１】
一方、制御部２は、その特定した読みが音声認識用の電話帳データに複数存在すると判定すると（Ｓ１４：ＹＥＳ）、ユーザが発話した声の特徴を特定する（Ｓ１７、特徴特定手順）。制御部２は、音声登録データを参照し（Ｓ１８）、その特定した声の特徴に対応する電話番号を特定する（Ｓ１９、識別情報特定手順）。制御部２は、その特定した電話番号に対応する携帯電話機１１ａ〜１１ｎを発信電話機として特定する（Ｓ２０、発信電話機特定手順）。そして、制御部２は、発信電話機の電話帳データに当該読みに対応付けられている電話番号を発信先電話番号として携帯電話機１１ａ〜１１ｎから発信させる（Ｓ２１、発信制御手順）。
【００３２】
具体的に以下に説明する。制御部２は、図４に示した音声認識用の電話帳データを作成している状態で、ユーザが例えば「ヤマダ」と発話すると、ユーザが発話した声の読みを「ヤマダ」と特定する。そして、制御部２は、その特定した声の読みである「ヤマダ」が複数存在すると判定すると、音声登録データを参照し、声の特徴に対応する電話番号を特定する。即ち、制御部２は、発話者の声の特徴を解析することで、発話者の声の特徴が音声登録データに記憶されているユーザＡの声情報に合致すると判定すると、ユーザＡの声情報に対応付けられている「０９０−××××−１１１１」の電話番号を特定する。そして、制御部２は、その特定した「０９０−××××−１１１１」の電話番号が付与されている携帯電話機１１ａを発信電話機として特定し、その特定した読みである「ヤマダ」に対応付けられている「０９０−××××−××１３」の電話番号を発信先電話番号として携帯電話機１１ａから発信させる。これにより、ユーザＡが「ヤマダ」と発話すると、ユーザＡの携帯電話機１１ａの電話帳データに「ヤマダ」に対応付けられている「０９０−××××−××１３」の電話番号を発信先電話番号として携帯電話機１１ａから発信させることができる。
【００３３】
一方、制御部２は、発話者の声の特徴を解析することで、発話者の声の特徴が音声登録データに記憶されているユーザＢの声情報に合致すると判定すると、ユーザＢの声情報に対応付けられている「０９０−××××−２２２２」の電話番号を特定する。そして、制御部２は、その特定した「０９０−××××−２２２２」の電話番号が付与されている携帯電話機１１ｂを発信電話機として特定し、その特定した読みである「ヤマダ」に対応付けられている「０９０−××××−××２２」の電話番号を発信先電話番号として携帯電話機１１ｂから発信させる。これにより、ユーザＢが「ヤマダ」と発話すると、ユーザＢの携帯電話機１１ｂの電話帳データに「ヤマダ」に対応付けられている「０９０−××××−××２２」の電話番号を発信先電話番号として携帯電話機１１ｂから発信させることができる。
【００３４】
尚、ユーザが他の読みを発話した場合も同様であり、ユーザが例えば「ワタナベ」と発話した場合も同様である。制御部２は、発話者の声の特徴が音声登録データに記憶されているユーザＢの声情報に合致すると判定すると、ユーザＢの携帯電話機１１ｂの電話帳データに「ワタナベ」に対応付けられている「０９０−××××−××２３」の電話番号を発信先電話番号として携帯電話機１１ｂから発信させる。一方、制御部２は、発話者の声の特徴が音声登録データに記憶されているユーザＣの声情報に合致すると判定すると、ユーザＣの携帯電話機１１ｃの電話帳データに「ワタナベ」に対応付けられている「０９０−××××−××３３」の電話番号を発信先電話番号として携帯電話機１１ｃから発信させる。尚、以上は、ユーザが発話した声の読みが２個の携帯電話機で重複する場合を説明したが、ユーザが発話した声の読みが３個以上の携帯電話機で重複する場合も同様である。
【００３５】
以上説明したように本実施形態によれば、次に示す効果を得ることができる。
車載機１において、複数の携帯電話機１１ａ〜１１ｎの電話番号と発話者の声の特徴を示す声情報とが対応付けられている音声登録データを記憶し、電話帳データの転送元の携帯電話機１１ａ〜１１ｎの電話番号に対応する声情報を記憶していると、当該携帯電話機１１ａ〜１１ｎから取得した電話帳データを当該電話番号と対応付けて音声認識用の電話帳データを作成するようにした。そして、発話者が発話した声の読みが音声認識用の電話帳データに複数存在すると、発話者が発話した声の特徴を特定し、音声登録データを参照して声の特徴に対応する電話番号を特定し、その特定した電話番号に対応する携帯電話機１１ａ〜１１ｎを発信電話機として特定するようにした。これにより、音声登録データを記憶しておくことで、複数の携帯電話機１１ａ〜１１ｎが通信可能に接続される状況で複数の携帯電話機１１ａ〜１１ｎから音声認識機能を用いて発信させることができ、利便性を高めることができる。
【００３６】
本発明は、上記した実施形態で例示したものに限定されることなく、その範囲を逸脱しない範囲で任意に変形又は拡張することができる。
本実施形態では、複数の携帯電話機１１ａ〜１１ｎと車載機１とがＢＴ接続する構成を例示したが、別の近距離無線接続の通信規格に準拠する方式により無線接続する構成でも良い。又、複数の携帯電話機１１ａ〜１１ｎの全て又は一部と車載機１とが有線接続する構成でも良い。
【００３７】
本実施形態では、発信電話機を特定すると、その特定した発信電話機からの発信を速やかに行う構成を例示したが、発信電話機を特定した後に、その特定結果を報知することで、その特定した発信電話機からの発信を行うか否かをユーザが選択可能としても良い。即ち、制御部２は、声の特徴に対応する電話番号を特定し（Ｓ１９）、その特定した電話番号に対応する携帯電話機１１ａ〜１１ｎを発信電話機として特定すると（Ｓ２０）、図７に示すように、その特定結果を示す発信問合画面２１を表示部４に表示させても良い。図７（ａ）は携帯電話機１１ａを発信電話機として特定した場合の発信問合画面２１を例示し、図７（ｂ）は携帯電話機１１ｂを発信電話機として特定した場合の発信問合画面２１を例示している。そして、制御部２は、ユーザが「はい」キー２１ａを選択したときに発信を許可し、ユーザが「いいえ」キー２１ｂを選択したときに発信を禁止するようにしても良い。このように構成すれば、仮にユーザが発話した声の特徴を誤って特定し、発信電話機を誤って特定してしまっても、その過って特定した発信電話機からの発信を中止させることができる。
【００３８】
本実施形態では、複数の携帯電話機１１ａ〜１１ｎと車載機１とがＰＢＡＰを接続することで、携帯電話機１１ａ〜１１ｎの電話帳データが車載機１に転送される構成を例示したが、ＰＢＡＰとは別のプロファイル（例えばＯＰＰ（Object Push Profile））を接続することで、携帯電話機１１ａ〜１１ｎの電話帳データが車載機１に転送される構成でも良い。
本実施形態では、携帯電話機１１ａ〜１１ｎの電話番号を識別情報として用い、携帯電話機１１ａ〜１１ｎの電話番号と発話者の声の特徴を示す声情報とが対応付けられている音声登録データを用いたが、携帯電話機１１ａ〜１１ｎを特定可能であれば、携帯電話機１１ａ〜１１ｎの機器番号を識別情報として用いる等、どのような情報を識別情報として用いても良い。
本実施形態では、読みだけでなく「山田」や「渡辺」のように登録名も重複する場合を説明したが、例えば「酒井」や「坂井」や「堺」のように登録名が異なる場合でも同じ「サカイ」の読みであれば適用することができる。
【符号の説明】
【００３９】
図面中、１は車載機、２は制御部、２ａは電話帳データ取得部、２ｂは電話帳データ作成部、２ｃは読み特定部、２ｄは特徴特定部、２ｅは識別情報特定部、２ｆは発信電話機特定部、２ｇは発信制御部、２ｈは報知制御部、３は接続部、６は記憶部である。
【図１】
2017034386.tif 000003
【図２】
2017034386.tif 000004
【図３】
2017034386.tif 000005
【図４】
2017034386.tif 000006
【図５】
2017034386.tif 000007
【図６】
2017034386.tif 000008
【図７】
2017034386.tif 000009